(57)【要約】【課題】  テレビ電話の映像を組み込む領域が記述されたウェブページのＵＲＬを通信相手に容易に通知し、通信相手はそのＵＲＬのウェブページを容易に表示させることを可能にする。【解決手段】  通信装置２ａにおいて通信装置２ｂに対して送信する映像を組み込む領域が記載されたウェブサーバのＵＲＬが入力されて通信装置２ｂへ送信すると判断されると（ステップＳ１０３）、通信装置２ａは入力されたＵＲＬを通信装置２ｂに対して送信する（ステップＳ１０４）。通信装置２ｂにおいて通信装置２ａが送信したＵＲＬを受信してＵＲＬを表示する（ステップＳ１０３，Ｓ１０４）。通信装置２ｂにおいてそのＵＲＬのウェブページが表示され（ステップＳ１１３）、そのウェブページの表示領域に映像を組み込み映像を表示する（ステップＳ１１４）。【選択図】      図９
2006229559.tif 000002
【特許請求の範囲】
【請求項１】
第１の通信装置と第２の通信装置との間でネットワークを介して音声および映像の送受信を行う通信システムにおいて、
前記第１の通信装置および前記第２の通信装置は、夫々、
表示手段と、
相手側の通信装置に対して送信するネットワーク上の映像を組み込む領域を示す領域情報が記述されたリソースのロケーションを示すロケーション情報を入力するロケーション情報入力手段と、
前記ロケーション情報入力手段により入力されるロケーション情報を相手側の通信装置に対して送信するロケーション情報送信手段と、
相手側の通信装置によって送信される当該相手側の通信装置において入力されるロケーション情報を受信するロケーション情報受信手段と、
前記ロケーション情報受信手段により受信されるロケーション情報を前記表示手段に表示するロケーション情報表示手段と、
前記ロケーション情報表示手段に表示されるロケーション情報に基づき当該ロケーション情報のリソースを取得するリソース取得手段と、
前記リソース取得手段により取得されるリソースを前記表示手段に表示するリソース表示手段と、
前記表示手段に表示されるリソースに対して当該リソースに記述された領域情報に従い映像を組み込み当該映像を前記表示手段に表示する映像組込手段と、
を備えたことを特徴とする通信システム。
【請求項２】
第１の通信装置と第２の通信装置との間でネットワークを介して通信を行う通信システムにおいて、
前記第１の通信装置および前記第２の通信装置は、夫々、
表示手段と、
相手側の通信装置によって送信される映像を受信する映像受信手段と、
入力されるネットワーク上の映像を組み込む領域を示す領域情報が記述されたリソースのロケーションを示すロケーション情報に基づき当該ロケーション情報のリソースを取得するリソース取得手段と、
前記リソース取得手段により取得されるリソースを前記表示手段に表示するリソース表示手段と、
前記表示手段に表示されているリソースの中から前記映像受信手段により受信される映像を組み込むリソースを指定する組込リソース指定手段と、
前記組込リソース指定手段により指定されるリソースに対して当該リソースに記述された領域情報に従い前記映像受信手段により受信される映像を組み込み当該映像を前記表示手段に表示する映像組込手段と、
を備えたことを特徴とする通信システム。
【請求項３】
他の通信装置とネットワークを介して音声および映像の送受信を行う通信装置において、
前記他の通信装置に対して送信するネットワーク上の映像を組み込む領域を示す領域情報が記述されたリソースのロケーションを示すロケーション情報を入力するロケーション情報入力手段と、
前記ロケーション情報入力手段により入力されるロケーション情報を前記他の通信装置に対して送信するロケーション情報送信手段と、
を備えたことを特徴とする通信装置。
【請求項４】
他の通信装置とネットワークを介して音声および映像の送受信を行う通信装置において、
表示手段と、
前記他の通信装置によって送信される当該他の通信装置において入力される映像を組み込む領域を示す領域情報が記述されたロケーション情報を受信するロケーション情報受信手段と、
前記ロケーション情報受信手段により受信されるロケーション情報を前記表示手段に表示するロケーション情報表示手段と、
前記ロケーション情報表示手段に表示されるロケーション情報に基づき当該ロケーション情報のリソースを取得するリソース取得手段と、
前記リソース取得手段により取得されるリソースを前記表示手段に表示するリソース表示手段と、
前記表示手段に表示されるリソースに対して当該リソースに記述された領域情報に従い映像を組み込み当該映像を前記表示手段に表示する映像組込手段と、
を備えたことを特徴とする通信装置。
【請求項５】
表示手段と、
他の通信装置によって送信される映像を受信する映像受信手段と、
入力されるネットワーク上の映像を組み込む領域を示す領域情報が記述されたリソースのロケーションを示すロケーション情報に基づき当該ロケーション情報のリソースを取得するリソース取得手段と、
前記リソース取得手段により取得されるリソースを前記表示手段に表示するリソース表示手段と、
前記表示手段に表示されているリソースの中から前記映像受信手段により受信される映像を組み込むリソースを指定する組込リソース指定手段と、
前記組込リソース指定手段により指定されるリソースに対して当該リソースに記述された領域情報に従い前記映像受信手段により受信される映像を組み込み当該映像を前記表示手段に表示する映像組込手段と、
を備えたことを特徴とする通信装置。
【請求項６】
第１の通信装置と第２の通信装置との間でネットワークを介して通信を行う通信方法であって、
前記第１の通信装置において入力される前記第２の通信装置に対して送信するネットワーク上の映像を組み込む領域を示す領域情報が記述されたリソースのロケーションを示すロケーション情報を該第１の通信装置が前記第２の通信装置に対して送信するロケーション情報送信手順と、
前記第２の通信装置において前記第１の通信装置が前記ロケーション情報送信手順において送信したロケーション情報を受信するロケーション情報受信手順と、
前記第２の通信装置が前記ロケーション情報受信手順において受信したロケーション情報を表示手段に表示するロケーション情報表示手順と、
前記ロケーション情報表示手順において表示されたロケーション情報に基づき当該ロケーション情報のリソースを取得するリソース取得手順と、
前記リソース取得手順において取得されたリソースを前記表示手段に表示するリソース表示手順と、
前記表示手段に表示されたリソースに対して当該リソースに記述された領域情報に従い映像を組み込み当該映像を前記表示手段に表示する映像組込手順と、
を有することを特徴とする通信方法。
【請求項７】
第１の通信装置と第２の通信装置との間でネットワークを介して通信を行う通信方法であって、
前記第１の通信装置が前記第２の通信装置によって送信される映像を受信する映像受信手順と、
入力されるネットワーク上の映像を組み込む領域を示す領域情報が記述されたリソースのロケーションを示すロケーション情報に基づき当該ロケーション情報のリソースを取得するリソース取得手順と、
前記リソース取得手順において取得されたリソースを表示手段に表示するリソース表示手順と、
前記表示手段に表示されているリソースの中から前記映像受信手順において受信された映像を組み込むリソースを指定する組込リソース指定手順と、
前記組込リソース指定手順において指定されたリソースに対して当該リソースに記述された領域情報に従い前記映像受信手順において受信された映像を組み込み当該映像を前記表示手段に表示する映像組込手順と、
を有することを特徴とする通信方法。
【請求項８】
コンピュータに他のコンピュータに対して送信するネットワーク上の映像を組み込む領域を示す領域情報が記述されたリソースのロケーションを示すロケーション情報を前記他のコンピュータに対して送信するロケーション情報送信手順を実行させることを特徴とする通信プログラム。
【請求項９】
コンピュータに他のコンピュータによって送信されるネットワーク上の映像を組み込む領域を示す領域情報が記述されたリソースのロケーションを示すロケーション情報を受信するロケーション情報受信手順と、
コンピュータに前記ロケーション情報受信手順において受信されたロケーション情報を表示手段に表示するロケーション情報表示手順と、
コンピュータに前記ロケーション情報表示手順において表示されたロケーション情報に基づき当該ロケーション情報のリソースを取得するリソース取得手順と、
コンピュータに前記リソース取得手順において取得されたリソースを前記表示手段に表示するリソース表示手順と、
コンピュータに前記表示手段に表示されたリソースに対して当該リソースに記述された領域情報に従い映像を組み込み当該映像を前記表示手段に表示する映像組込手順と、
を実行させることを特徴とする通信プログラム。
【請求項１０】
コンピュータに他のコンピュータによって送信される映像を受信する映像受信手順と、
コンピュータに入力されるネットワーク上の映像を組み込む領域を示す領域情報が記述されたリソースのロケーションを示すロケーション情報に基づき当該ロケーション情報のリソースを取得するリソース取得手順と、
コンピュータに前記リソース取得手順において取得されたリソースを表示手段に表示するリソース表示手順と、
コンピュータに前記表示手段に表示されているリソースの中から前記映像受信手順において受信された映像を組み込むリソースを指定する組込リソース指定手順と、
コンピュータに前記組込リソース指定手順において指定されたリソースに対して当該リソースに記述された領域情報に従い前記映像受信手順において受信された映像を組み込み当該映像を前記表示手段に表示する映像組込手順と、
を実行させることを特徴とする通信プログラム。
【発明の詳細な説明】
【技術分野】
【０００１】
本発明は、ネットワークを介して通信を行う通信システム、通信装置、通信方法、および通信プログラムに関する。
【背景技術】
【０００２】
近年、テレビ電話のように、コンピュータなどの通信装置を利用し、通信装置の間でＩＰ（Ｉｎｔｅｒｎｅｔ  Ｐｒｏｔｏｃｏｌ）ネットワークを介して映像や音声を送受信することが行われている。
例えば、ユーザの操作によって発信側のコンピュータがウェブサーバにアクセスしウェブページがそのコンピュータの表示部に表示される。そして、ユーザが表示されたウェブページ内のリンクを選択すると、そのリンクに関連付けられたテレビ電話用のプログラムがコンピュータにダウンロードされ、インストールされ、テレビ電話用のプログラムが起動する。続いて、コンピュータはそのリンクに関連付けられ事前に記憶されているＩＰアドレスに基づき着信側のコンピュータに対して発呼する。そして、発信側のコンピュータのユーザと着信側のコンピュータのユーザとがテレビ電話で映像や音声の交換を行うものがある（例えば、特許文献１参照。）。
【特許文献１】特許第３５７３７１５号公報
【発明の開示】
【発明が解決しようとする課題】
【０００３】
例えば、ユーザがテレビ電話中に相手にテレビ電話用のプログラムを呼び出し、それにより通信相手の通信装置から受信する映像などが組み込まれるウェブページを閲覧してもらい、そのウェブページに映像が組み込まれた状態でテレビ電話を行いたいと考えるような場合が起こることが想定される。このような場合に、互いの手間を最小限に抑えながら、そのウェブページのＵＲＬ（Ｕｎｉｆｏｒｍ  Ｒｅｓｏｕｒｃｅ  Ｌｏｃａｔｏｒ）を相手に簡単に伝え、相手が簡単にそのＵＲＬのウェブページを入手することができることは望ましいものと考えられる。ところが、上記の特許公報には、テレビ電話の相手に希望のウェブページを簡単に閲覧してもらう仕方は記載されていない。
【０００４】
また、コンピュータに複数のウェブページを取り込むことが可能なことから、コンピュータにテレビ電話用のプログラムを呼び出すウェブページを複数取り込んだ状態で通話がなされる場合が起ることが想定される。このような場合に、ユーザは、通常、取り込んだ複数のウェブページの何れかを閲覧しながら通信相手と通話を行いたいと考えるものと思われる。ところが、上記の特許公報ではコンピュータに複数のウェブページが取り込まれた状態でテレビ電話がなさることを対象とするものではない。従って、コンピュータに複数のウェブページを取り込んだ状態でユーザが閲覧したいウェブページのみに映像を組み込む仕方は記載されていない。
【０００５】
そこで、本発明は、通信を行っている者同士の負担を最小限に抑えて相手にテレビ電話用のプログラムを呼び出し、それにより通信相手の通信装置から受信する映像などが組み込まれる希望のウェブページなどのリソースを取得してもらうことを可能にする通信システム、通信装置、通信方法、および通信プログラムを提供することを目的とする。
また、本発明は、コンピュータなどに複数のウェブページなどのリソースを取り込んで通信を行う場合にユーザが希望するウェブページなどのリソースに映像を組み込むことを可能にする通信システム、通信装置、通信方法、および通信プログラムを提供することを別の目的とする。
【課題を解決するための手段】
【０００６】
請求項１に記載の通信システムは、第１の通信装置と第２の通信装置との間でネットワークを介して音声および映像の送受信を行う通信システムにおいて、前記第１の通信装置および前記第２の通信装置は、夫々、表示手段と、相手側の通信装置に対して送信するネットワーク上の映像を組み込む領域を示す領域情報が記述されたリソースのロケーションを示すロケーション情報を入力するロケーション情報入力手段と、前記ロケーション情報入力手段により入力されるロケーション情報を相手側の通信装置に対して送信するロケーション情報送信手段と、相手側の通信装置によって送信される当該相手側の通信装置において入力されるロケーション情報を受信するロケーション情報受信手段と、前記ロケーション情報受信手段により受信されるロケーション情報を前記表示手段に表示するロケーション情報表示手段と、前記ロケーション情報表示手段に表示されるロケーション情報に基づき当該ロケーション情報のリソースを取得するリソース取得手段と、前記リソース取得手段により取得されるリソースを前記表示手段に表示するリソース表示手段と、前記表示手段に表示されるリソースに対して当該リソースに記述された領域情報に従い映像を組み込み当該映像を前記表示手段に表示する映像組込手段と、を備えたことを特徴とする。
【０００７】
請求項２に記載の通信システムは、第１の通信装置と第２の通信装置との間でネットワークを介して通信を行う通信システムにおいて、前記第１の通信装置および前記第２の通信装置は、夫々、表示手段と、相手側の通信装置によって送信される映像を受信する映像受信手段と、入力されるネットワーク上の映像を組み込む領域を示す領域情報が記述されたリソースのロケーションを示すロケーション情報に基づき当該ロケーション情報のリソースを取得するリソース取得手段と、前記リソース取得手段により取得されるリソースを前記表示手段に表示するリソース表示手段と、前記表示手段に表示されているリソースの中から前記映像受信手段により受信される映像を組み込むリソースを指定する組込リソース指定手段と、前記組込リソース指定手段により指定されるリソースに対して当該リソースに記述された領域情報に従い前記映像受信手段により受信される映像を組み込み当該映像を前記表示手段に表示する映像組込手段と、を備えたことを特徴とする。
【０００８】
請求項３に記載の通信装置は、他の通信装置とネットワークを介して音声および映像の送受信を行う通信装置において、前記他の通信装置に対して送信するネットワーク上の映像を組み込む領域を示す領域情報が記述されたリソースのロケーションを示すロケーション情報を入力するロケーション情報入力手段と、前記ロケーション情報入力手段により入力されるロケーション情報を前記他の通信装置に対して送信するロケーション情報送信手段と、を備えたことを特徴とする。
【０００９】
請求項４に記載の通信装置は、他の通信装置とネットワークを介して音声および映像の送受信を行う通信装置において、表示手段と、前記他の通信装置によって送信される当該他の通信装置において入力される映像を組み込む領域を示す領域情報が記述されたロケーション情報を受信するロケーション情報受信手段と、前記ロケーション情報受信手段により受信されるロケーション情報を前記表示手段に表示するロケーション情報表示手段と、前記ロケーション情報表示手段に表示されるロケーション情報に基づき当該ロケーション情報のリソースを取得するリソース取得手段と、前記リソース取得手段により取得されるリソースを前記表示手段に表示するリソース表示手段と、前記表示手段に表示されるリソースに対して当該リソースに記述された領域情報に従い映像を組み込み当該映像を前記表示手段に表示する映像組込手段と、を備えたことを特徴とする。
【００１０】
請求項５に記載の通信装置は、表示手段と、他の通信装置によって送信される映像を受信する映像受信手段と、入力されるネットワーク上の映像を組み込む領域を示す領域情報が記述されたリソースのロケーションを示すロケーション情報に基づき当該ロケーション情報のリソースを取得するリソース取得手段と、前記リソース取得手段により取得されるリソースを前記表示手段に表示するリソース表示手段と、前記表示手段に表示されているリソースの中から前記映像受信手段により受信される映像を組み込むリソースを指定する組込リソース指定手段と、前記組込リソース指定手段により指定されるリソースに対して当該リソースに記述された領域情報に従い前記映像受信手段により受信される映像を組み込み当該映像を前記表示手段に表示する映像組込手段と、を備えたことを特徴とする。
【００１１】
請求項６に記載の通信方法は、第１の通信装置と第２の通信装置との間でネットワークを介して通信を行う通信方法であって、前記第１の通信装置において入力される前記第２の通信装置に対して送信するネットワーク上の映像を組み込む領域を示す領域情報が記述されたリソースのロケーションを示すロケーション情報を該第１の通信装置が前記第２の通信装置に対して送信するロケーション情報送信手順と、前記第２の通信装置において前記第１の通信装置が前記ロケーション情報送信手順において送信したロケーション情報を受信するロケーション情報受信手順と、前記第２の通信装置が前記ロケーション情報受信手順において受信したロケーション情報を表示手段に表示するロケーション情報表示手順と、前記ロケーション情報表示手順において表示されたロケーション情報に基づき当該ロケーション情報のリソースを取得するリソース取得手順と、前記リソース取得手順において取得されたリソースを前記表示手段に表示するリソース表示手順と、前記表示手段に表示されたリソースに対して当該リソースに記述された領域情報に従い映像を組み込み当該映像を前記表示手段に表示する映像組込手順と、を有することを特徴とする。
【００１２】
請求項７に記載の通信方法は、第１の通信装置と第２の通信装置との間でネットワークを介して通信を行う通信方法であって、前記第１の通信装置が前記第２の通信装置によって送信される映像を受信する映像受信手順と、入力されるネットワーク上の映像を組み込む領域を示す領域情報が記述されたリソースのロケーションを示すロケーション情報に基づき当該ロケーション情報のリソースを取得するリソース取得手順と、前記リソース取得手順において取得されたリソースを表示手段に表示するリソース表示手順と、前記表示手段に表示されているリソースの中から前記映像受信手順において受信された映像を組み込むリソースを指定する組込リソース指定手順と、前記組込リソース指定手順において指定されたリソースに対して当該リソースに記述された領域情報に従い前記映像受信手順において受信された映像を組み込み当該映像を前記表示手段に表示する映像組込手順と、を有することを特徴とする。
【００１３】
請求項８に記載の通信プログラムは、コンピュータに他のコンピュータに対して送信するネットワーク上の映像を組み込む領域を示す領域情報が記述されたリソースのロケーションを示すロケーション情報を前記他のコンピュータに対して送信するロケーション情報送信手順を実行させることを特徴とする。
【００１４】
請求項９に記載の通信プログラムは、コンピュータに他のコンピュータによって送信されるネットワーク上の映像を組み込む領域を示す領域情報が記述されたリソースのロケーションを示すロケーション情報を受信するロケーション情報受信手順と、コンピュータに前記ロケーション情報受信手順において受信されたロケーション情報を表示手段に表示するロケーション情報表示手順と、コンピュータに前記ロケーション情報表示手順において表示されたロケーション情報に基づき当該ロケーション情報のリソースを取得するリソース取得手順と、コンピュータに前記リソース取得手順において取得されたリソースを前記表示手段に表示するリソース表示手順と、コンピュータに前記表示手段に表示されたリソースに対して当該リソースに記述された領域情報に従い映像を組み込み当該映像を前記表示手段に表示する映像組込手順と、を実行させることを特徴とする。
【００１５】
請求項１０に記載の通信プログラムは、コンピュータに他のコンピュータによって送信される映像を受信する映像受信手順と、コンピュータに入力されるネットワーク上の映像を組み込む領域を示す領域情報が記述されたリソースのロケーションを示すロケーション情報に基づき当該ロケーション情報のリソースを取得するリソース取得手順と、コンピュータに前記リソース取得手順において取得されたリソースを表示手段に表示するリソース表示手順と、コンピュータに前記表示手段に表示されているリソースの中から前記映像受信手順において受信された映像を組み込むリソースを指定する組込リソース指定手順と、コンピュータに前記組込リソース指定手順において指定されたリソースに対して当該リソースに記述された領域情報に従い前記映像受信手順において受信された映像を組み込み当該映像を前記表示手段に表示する映像組込手順と、を実行させることを特徴とする。
【発明の効果】
【００１６】
請求項１、請求項３、請求項４、請求項６、請求項８、請求項９に記載の発明によれば、ネットワーク上の映像を組み込む領域を示す領域情報が記述されたリソースのロケーションを示すロケーション情報が相手側の装置（通信装置、コンピュータ）へ送信されて相手側の装置（通信装置、コンピュータ）で受信することが可能になるので、通信を行っている者同士の負担を最小限に抑えて相手に映像を組み込む領域を示す領域情報が記述された希望のウェブページなどのリソースを取得してもらうことが可能になる。
【００１７】
請求項２、請求項５、請求項７、請求項１０に記載の発明によれば、映像を組み込む複数のリソースが装置（通信装置、コンピュータ）に取り込まれた場合であっても映像が組み込まれるリソースを切り替えることが可能なので、ユーザが希望するウェブページに映像が組み込まれた状態で通信相手と通信を行うことが可能になる。
【発明を実施するための最良の形態】
【００１８】
以下、本発明を実施するための最良の形態について図面を参照しつつ説明する。
【００１９】
本発明の実施の形態における通信システムのシステム構成について図１を参照しつつ説明する。図１は本実施の形態における通信システムのシステム構成図である。図１に示すように、通信システム１は複数の通信装置２（２ａ，２ｂ，・・・）を備え、各通信装置２（２ａ，２ｂ，・・・）は、夫々、ＩＰネットワーク５に接続されている。そして、通信システム１を構成する通信装置２（２ａ，２ｂ，・・・）が接続されているＩＰネットワーク５には、１または複数のウェブページ（リソースに対応）を保持するウェブサーバ（ウェブサーバ装置）３が複数接続されている（図１では１つのみ図示）とともに、通信装置２がテレビ電話機能を実現するためのプログラム（以下、テレビ電話プログラムという。）を保持するダウンロードサーバ（ダウンロードサーバ装置）４が接続されている。ただし、通信装置２（２ａ，２ｂ，・・・）は、他の通信装置２（２ａ，２ｂ，・・・）との間でＩＰネットワーク５を介して映像および音声の送受信を行うこと、つまりテレビ電話を行うことができる。なお、通信装置２（２ａ，２ｂ，・・・）はコンピュータ端末などを利用することによって実現される。
【００２０】
テレビ電話プログラムは、通信装置２に常駐して（常時起動して）映像および音声の送受信を実現するとともに映像の表示を実現する部分（以下、常駐部という。）と、例えばＨＴＭＬ（Ｈｙｐｅｒ  Ｔｅｘｔ  Ｍａｒｋｕｐ  Ｌａｎｇｕａｇｅ）で記述されたウェブページの記述内容に従ってこのウェブページに対して記述内容に示された映像を組み込む領域への映像の組み込みを実現する部分（以下、ＯＣＸ（ＯＬＥ  Ｃｕｓｔｏｍ  Ｃｏｎｔｒｏｌ）部という。）とによって構成されている。なお、ウェブページに対する映像の組み込みはＯＣＸ以外のものを利用するような場合であってもよい。
【００２１】
ただし、通信装置２（２ａ，２ｂ，・・・）間で映像や音声の送受信を行う、つまり、テレビ電話を行う場合には、テレビ電話を行う双方の通信装置２（２ａ，２ｂ，・・・）にテレビ電話プログラムがインストールされている必要がある。
【００２２】
ここで、テレビ電話プログラムがインストールされていない通信装置２にテレビ電話プログラムがインストールされる過程の概要の１つを記載する。ユーザがテレビ電話プログラムのインストールされていない通信装置２を利用してウェブサーバ３が保持しているＨＴＭＬによってＯＣＸ部を呼び出すことが記述されたウェブページを閲覧しようとしたとする。このとき、ユーザが利用している通信装置２にはテレビ電話プログラムがインストールされていないので、ユーザに対してテレビ電話プログラムのインストールを促す（例えば、通信装置２の表示部に、「テレビ電話プログラムをインストールしますか」のメッセージが含まれ、「はい」のボタンと「いいえ」のボタンとが設けられた画面をポップアップ表示する。）。
【００２３】
そして、ユーザがテレビ電話プログラムのインストールを指定した（例えば、ユーザが上記のポップアップ表示された画面内の「はい」ボタンをクリックした）とすると、通信装置２は、ＨＴＭＬによって記述されたウェブページの記述内容にあるテレビ電話プログラムを保持する宛先に対してアクセスし、テレビ電話プログラムがこのテレビ電話プログラムを保持するダウンロードサーバ４から通信装置２へＩＰネットワーク５を経由してダウンロードされ、インストールされる。
なお、テレビ電話プログラムを記録したＣＤ−ＲＯＭなどを利用して通信装置２にテレビ電話プログラムをインストールしてもよい。
【００２４】
次に、図１の通信装置２の装置構成について図２を参照しつつ説明する。図２は、図１の通信装置２の装置構成を示す装置構成図である。図２に示すように、通信装置２は、ＣＰＵ（Ｃｅｎｔｒａｌ  Ｐｒｏｃｅｓｓｉｎｇ  Ｕｎｉｔ）２１、入力部２２、表示部２３、記憶部２４、インターフェース（Ｉ／Ｆ）２５、カメラ２６、マイク２７、およびスピーカ２８を備えており、これらをバスを介して接続することによって構成されている。
【００２５】
ＣＰＵ２１は、演算や制御を行う中央演算装置である。入力部２２は、キーボードとマウスなどのポインティングデバイスなどとによって構成される入力装置である。表示部２３は、液晶ディスプレイなどによって構成される表示装置である。記憶部２４は、読み出し専用のメモリであってシステムプログラムなどを記憶しているＲＯＭ（Ｒｅａｄ  Ｏｎｌｙ  Ｍｅｍｏｒｙ）と、読み出し・書き込み可能なメモリであって例えばＣＰＵ２１が各種プログラムを実行する際にワークエリアとして利用されるＲＡＭ（Ｒａｎｄｏｍ  Ａｃｃｅｓｓ  Ｍｅｍｏｒｙ）と、後述する図９および図１０の処理を実行するためのプログラム（通信プログラム）や上述したテレビ電話プログラムなどを記憶するＨＤＤ（Ｈａｒｄ  Ｄｉｓｋ  Ｄｒｉｖｅ）などの外部記憶装置とによって構成される記憶装置である。
【００２６】
インターフェース２５は、通信装置２をＩＰネットワーク５を介して他の通信装置２、ウェブサーバ３、およびダウンロードサーバ４と通信可能にするものであり、映像受信手段、ロケーション情報送信手段、ロケーション情報受信手段に対応する。カメラ２６は動画像などを撮影する装置であり、マイク２７は音を集音する装置であり、スピーカ２８は音を出力する装置である。
【００２７】
さらに、図１の通信装置２の機能構成について図３を参照しつつ説明する。図３は図１の通信装置２の機能構成を示す機能ブロック部である。図３に示すように、通信装置２のＣＰＵ２１は、音声・映像送信処理部２１ａ、音声・映像受信処理部２１ｂ、基本ページ表示処理部２１ｃ、ＵＲＬ送信処理部２１ｄ、ＵＲＬ受信処理部２１ｅ、ＵＲＬ表示処理部２１ｆ、ウェブページ取得部２１ｇ、ウェブページ表示処理部２１ｈ、映像組込指定部２１ｉ、および映像組込処理部２１ｊとして機能する各部を有している。
【００２８】
音声・映像送信処理部２１ａは、マイク２７で集音される音声およびカメラ２６により撮影される映像をインターフェース２５へ出力し、インターフェース２５から音声および映像がＩＰネットワーク５を経由して通信相手の通信装置２へ送信する。
インターフェース２５は通信相手の通信装置２によって送信される音声および映像をＩＰネットワーク５を経由して受信し、音声・映像受信処理部２１ｂへ出力する。音声・映像受信処理部２１ｂは、インターフェース２５から入力される音声をスピーカ２８へ出力し、映像を映像組込処理部２１ｊへ出力する。
【００２９】
基本ページ表示処理部２１ｃは、図４に一例を示す基本ページを表示部２３に表示する。図４の基本ページには、映像を表示する映像表示領域Ｒ１１、Ｒ１２があり、通信装置２が通信を行っていない場合には映像表示領域Ｒ１１、Ｒ１２には映像が表示されていない。また、基本ページには、電話をかける相手の通信装置２のＩＰアドレスを入力する相手先入力欄Ｉ１、通信相手の通信装置２へ送信する例えば映像を組み込む領域が記述されたウェブページのＵＲＬ（ロケーション情報に対応）を入力するＵＲＬ入力欄Ｉ２、ＵＲＬ入力欄Ｉ２に入力されたＵＲＬを通信相手の通信装置２へ送信する際にクリックされる「送信」ボタンＢ１、ＵＲＬ入力欄Ｉ２に入力されたＵＲＬのウェブページを取得する際にクリックされる「取得」ボタンＢ２がある。さらに、基本ページには電話をかける際にクリックされる「かける」ボタンＢ３、電話を切る際にクリックされる「切る」ボタンＢ４、電話を保留する際にクリックされる「保留」ボタンＢ５が設けられている。
【００３０】
基本ページ表示処理部２１ｃは、着信時、表示部２３に表示されている基本ページの「かける」ボタンＢ３を図５に一例を示すように「受ける」ボタンＢ６に変更して、表示部２３に表示されている基本ページの内容を更新する。
【００３１】
ＵＲＬ送信処理部２１ｄは、入力部２２から入力される信号に基づき「送信」ボタンＢ１が押下されたかを判断し、押下されたと判断すると基本ページのＵＲＬ入力欄Ｉ２の入力内容であるＵＲＬをインターフェース２５へ出力し、インターフェース２５はこのＵＲＬをＩＰネットワーク５を経由して通信相手の通信装置２へ送信する。
インターフェース２５は通信相手の通信装置２によって送信されるウェブページのＵＲＬをＩＰネットワーク５を経由して受信し、ＵＲＬ受信処理部２１ｅへ出力する。ＵＲＬ受信処理部２１ｅはインターフェース２５から入力されるＵＲＬをＵＲＬ表示処理部２１ｆへ出力する。
【００３２】
ＵＲＬ表示処理部２１ｆは、ＵＲＬがＵＲＬ受信処理部２１ｅから入力されると、表示部２３に表示されている基本ページに図６に一例を示すようにメッセージＭ１（「通信相手からhttp://www.abc.ne.jpが送られてきました。」）を追加して、表示部２３に表示されている基本ページの内容を更新する（ロケーション情報表示手段に対応）。なお、「http://www.abc.ne.jp」はＵＲＬ受信処理部２１ｅから入力されるＵＲＬ、つまり、通信相手の通信装置２によって送信されるＵＲＬであり、「http://www.abc.ne.jp」をクリックすることによってこのＵＲＬのウェブページが取得されて表示部２３に表示されるようになっている。
【００３３】
ウェブページ取得部２１ｇは、入力部２２から入力される信号に基づき「取得」ボタンＢ２が押下されたか否かを判断し、押下されたと判断すると基本ページのＵＲＬ入力欄Ｉ２の入力内容であるＵＲＬに基づいてＩＰネットワーク５に接続されたウェブサーバ３からこのＵＲＬのウェブページをＩＰネットワーク５およびインターフェース２５を介して取得する。また、ウェブページ取得部２１ｇは、入力部２２から入力される信号に基づき基本ページのメッセージＭ１中のＵＲＬが押下されたか否かを判断し、押下されたと判断するとメッセージＭ１中のＵＲＬに基づいてＩＰネットワーク５に接続されたウェブサーバ３からこのＵＲＬのウェブページをＩＰネットワーク５およびインターフェース２５を介して取得する。そして、ウェブページ取得部２１ｇは、取得したウェブページをウェブページ表示処理部２１ｈへ出力する。ただし、取得されるウェブページは、例えば、ＨＴＭＬにより記述され、その記述内容には映像を組み込む領域（映像表示領域Ｒ２１、Ｒ２２）が記述されている。
【００３４】
ウェブページ表示処理部２１ｈは、ウェブページ取得部２１ｇから入力されるウェブページを表示部２３に表示する。
【００３５】
映像組込指定部２１ｉは、映像を組み込む対象を示す情報（映像組込対象情報）を映像組込処理部２１ｊへ出力する。映像を組み込む対象として基本ページと表示部２３に表示されている各ウェブページがあり、映像組込指定部２１ｉから映像組込処理部２１ｊへ出力する映像組込対象情報が示す対象は１つのみである。
【００３６】
映像組込処理部２１ｊは、映像組込指定部２１ｉから入力される映像組込対象情報に示される対象のページ（基本ページ或いはウェブページ）に音声・映像受信処理部２１ｂおよびカメラ２６から入力される映像を組み込み、映像を表示部２３に表示する。
詳しくは、映像組込対象情報が基本ページを示す場合には、映像組込処理部２１ｊは、図７に一例を示すように、基本ページの映像表示領域Ｒ１１に音声・映像受信処理部２１ｂによって受信される映像を組み込み、映像表示領域Ｒ１２に自身を備える通信装置２のカメラ２６によって撮影される映像を組み込み、映像を表示部２３に表示する。これとともに、映像組込処理部２１ｊは、表示部２３に表示されている各ウェブページにメッセージＭ２（「このウインドウへ映像の表示を切り替える場合にはここをクリックしてください。」）を追加する。
【００３７】
また、映像組込対象情報が表示部２３に表示されているウェブページの何れかを示す場合には、映像組込処理部２１ｊは、図８に一例を示すように、指定されたウェブページの記述内容に基づいて映像を組み込む領域として記述された映像表示領域Ｒ２１に音声・映像受信処理部２１ｂによって受信される映像を組み込み、映像表示領域Ｒ２２に自身を備える通信装置２のカメラ２６によって撮影される映像を組み込み、映像を表示部２３に表示する。これとともに、映像組込処理部２１ｊは、表示部２３に表示されている基本ページにメッセージＭ３（「このウインドウへ映像の表示を切り替える場合にはここをクリックしてください。」）を追加し、他の各ウェブページに上述のメッセージＭ２を追加する。
【００３８】
なお、映像組込指定部２１ｉは、通話開始時は基本ページを映像を組み込む対象とする映像組込対象情報を映像組込処理部２１ｊへ出力する。また、映像組込指定部２１ｉは、新たなウェブページの取得時は新たなウェブページを映像を組み込む対象とする映像組込対象情報を映像組込処理部２１ｊへ出力する。さらに、映像組込指定部２１ｉは、メッセージＭ２中の「ここ」が押下された場合には押下されたウェブページを映像を組み込む対象とする映像組込対象情報を映像組込処理部２１ｊへ出力し、メッセージＭ３中の「ここ」が押下された場合には押下された基本ページを映像を組み込む対象とする映像組込対象情報を映像組込処理部２１ｊへ出力する。さらに、映像組込指定部２１ｉは、映像が組み込まれたウェブページが閉じられた場合に基本ページを映像を組み込む対象とする映像組込対象情報を映像組込処理部２１ｊへ出力する。
【００３９】
以下、上述した通信システム１において行われるＵＲＬの交換に関する処理について図９を参照しつつ説明する。図９は通信システム１において行われるＵＲＬの交換に関する処理の流れを示すシーケンス図である。ただし、図９においては、通信装置２ａが発信側であり、通信装置２ｂが着信側である。なお、図９は、発信側の通信装置２ａから着信側の通信装置２ｂへＵＲＬを通知する場合であるが、ＵＲＬの交換に関連する部分については着信側の通信装置２ｂから発信側の通信装置２ａへＵＲＬを通知する場合も実質的に同様である。
【００４０】
まず、通信装置２ａにおいてユーザはその入力部２２を利用して基本ページの相手先入力欄Ｉ１に対して通信相手の通信装置２ｂのＩＰアドレスを入力し、入力後「かける」ボタンＢ３をクリックする。通信装置２ａのＣＰＵ２１は入力部２２から入力される信号に基づき「かける」ボタンＢ３が押下されたか否かを判断し、押下されたと判断すると、通信装置２ａのＣＰＵ２１は相手先入力欄Ｉ１に入力されたＩＰアドレスに基づいて通信相手の通信装置２ｂに対して発呼する（ステップＳ１０１）。
【００４１】
着信側の通信装置２ｂにおいてステップＳ１０１の発呼を受けると、通信装置２ｂの基本ページ表示処理部２１ｃは表示部２３の表示内容を図４の基本ページから図５の基本ページに切り替える。そして、通信装置２ｂにおいてユーザは電話を受ける場合にはその入力部２２を利用して基本ページの「受ける」ボタンＢ６をクリックする。通信装置２ｂのＣＰＵ２１は入力部２２から入力される信号に基づき「受ける」ボタンＢ５が押下されたか否かを判断し、押下されたと判断すると、通信装置２ｂのＣＰＵ２１はインターフェース２５およびＩＰネットワーク５を介して応答を返信する（ステップＳ１０２）。これにより、発信側の通信装置２ａと着信側の通信装置２ｂとの間でセッションが確立し、以降、通信装置２ａと通信装置２ｂとの間で映像および音声の送受信が行われる。
【００４２】
通信装置２ａにおいてユーザが通信相手に閲覧してもらいたい映像を組み込む領域が記述されたウェブページのＵＲＬを入力部２２を利用してＵＲＬ入力欄Ｉ２に入力し、入力後「送信」ボタンＢ１をクリックする。通信装置２ａのＣＰＵ２１のＵＲＬ送信処理部２１ｄは入力部２２からの信号に基づき「送信」ボタンＢ１が押下されたか否かを判断する（ステップＳ１０３）。「送信」ボタンＢ１が押下されていないと判断した場合には（Ｓ１０３：ＮＯ）ステップＳ１０３の処理へ戻って「送信」ボタンＢ１の押下を待つ。一方、「送信」ボタンＢ１が押下されたと判断した場合には（Ｓ１０３：ＹＥＳ）ステップＳ１０４の処理へ進み、通信装置２ａのＣＰＵ２１のＵＲＬ送信処理部２ｄはＵＲＬ入力欄Ｉ２に入力されたＵＲＬをインターフェース２５へ出力し、このＵＲＬがインターフェース２５からＩＰネットワーク５を経由して通信相手の通信装置２ｂへ送信される（ステップＳ１０４）。
【００４３】
通信装置２ｂのインターフェース２５が通信相手の通信装置２ａによって送信されたＵＲＬをＩＰネットワーク５を経由して受信しＵＲＬがＣＰＵ２１のＵＲＬ受信処理部２１ｅに入力される（ステップＳ１０５）。そして、ＵＲＬ受信処理部２１ｅは入力されたＵＲＬをＵＲＬ表示処理部２１ｆへ出力し、ＵＲＬ表示処理部２１ｆは入力されたＵＲＬを含むメッセージＭ１（図６参照）を基本ページに追加し、表示部２３に表示されている基本ページの内容を更新する（ステップＳ１０６）。
以上のステップＳ１０３からステップＳ１０６の処理により、通信装置２ａのユーザが通信装置２ｂのユーザに対して閲覧してもらいたい映像を組み込む領域が記述されたウェブページのＵＲＬを簡単に通知し、通信装置２ｂのユーザは簡単に通知されたＵＲＬを持つウェブページを閲覧することが可能になる。
【００４４】
通信装置２ａのユーザは自身も通信相手に通知したＵＲＬのウェブページを閲覧したい場合には、ユーザは入力部２２を利用して「取得」ボタンＢ２をクリックする。通信装置２ａのＣＰＵ２１のウェブページ取得部２１ｇは入力部２２からの信号に基づき「取得」ボタンＢ２が押下されたか否か（ウェブページを取得するか否か）を判断する（ステップＳ１０７）。ウェブページを取得しないと判断した場合には（Ｓ１０７：ＮＯ）ウェブページを取得することなくそのまま通信を継続して行う。一方、ウェブページを取得すると判断した場合には（Ｓ１０７：ＹＥＳ）ステップＳ１０８の処理へ進む。そして、ウェブページ取得部２１ｇはＵＲＬ入力欄Ｉ２に入力されたＵＲＬ（映像を表示する領域が記述されたウェブページのＵＲＬ）に基づいてそのＵＲＬのウェブページをウェブサーバ３から取得する（ステップＳ１０８）。そして、ウェブページ表示処理部２１ｈはウェブページ取得部２１ｇによって取得されたウェブページを表示部２３に表示する（ステップＳ１０９）。さらに、映像組込指定部２１ｉは、新規に取得されたウェブページが組み込み対象であることを示す映像組込対象情報を映像組込処理部２１ｊへ出力し、映像組込処理部２１ｊは映像組込対象情報が示す新規に取得されたウェブページに対してその映像表示領域Ｒ２１、Ｒ２２に映像を組み込み、映像を表示部２３に表示する（ステップＳ１１０）。
【００４５】
通信装置２ｂのユーザは通信相手から通知されたＵＲＬのウェブページを閲覧したい場合には、ユーザは基本ページに表示されたメッセージＭ１内のＵＲＬをクリックする。通信装置ｂａのＣＰＵ２１のウェブページ取得部２１ｇは入力部２２からの信号に基づきメッセージＭ１内の「ＵＲＬ」が押下されたか否か（ウェブページを取得するか否か）を判断する（ステップＳ１１１）。ウェブページを取得しないと判断した場合には（Ｓ１１１：ＮＯ）ウェブページを取得することなくそのまま通信を継続して行う。一方、ウェブページを取得すると判断した場合には（Ｓ１１１：ＹＥＳ）ステップＳ１１２の処理へ進む。そして、ウェブページ取得部２１ｇはメッセージＭ１内のＵＲＬ（映像を表示する領域が記述されたウェブページのＵＲＬ）に基づいてそのＵＲＬのウェブページをウェブサーバ３から取得する（ステップＳ１１２）。そして、ウェブページ表示処理部２１ｈはウェブページ取得部２１ｇによって取得されたウェブページを表示部２３に表示する（ステップＳ１１３）。さらに、映像組込指定部２１ｉは、新規に取得されたウェブページが組み込み対象であることを示す映像組込対象情報を映像組込処理部２１ｊへ出力し、映像組込処理部２１ｊは映像組込対象情報が示す新規に取得されたウェブページに対してその映像表示領域Ｒ２１、Ｒ２２に映像を組み込み、映像を表示部２３に表示する（ステップＳ１１４）。
【００４６】
以上説明したように、ユーザは通信相手のユーザに対して閲覧してもらいたい映像を表示する領域が記述されたウェブページのＵＲＬを簡単に通知し、通信装置２ｂのユーザは簡単に通知されたＵＲＬを持つウェブページをその映像表示領域に映像が組み込まれた状態で閲覧することが可能になる。この結果、例えば、簡単に双方が同じウェブページを見ることができ、同じウェブページを見ながら会話をすることができて話が弾むようになるなどの利点がある。
【００４７】
さらに、上述した通信システム１において行われる映像を組み込むページ（ウインドウ）の切換に関する処理について図１０を参照しつつ説明する。図１０は通信システム１において行われる映像を組み込むウインドウの切換に関する処理の流れを示すフローチャートである。
【００４８】
まず、通信を行う通信装置２間で図９のステップＳ１０１およびステップＳ１０２の処理が行われ、通信装置２間でテレビ電話が開始される（ステップＳ２０１）。以降、通信装置２は通信相手の通信装置２に対して音声および映像を送信し、通信相手の通信装置２から音声および映像を受信する。
通信開始時、映像組込指定部２１ｉは基本ページが組み込み対象であることを示す映像組込対象情報を映像組込処理部２１ｊへ出力する。そして、映像組込処理部２１ｊは映像組込対象情報が示す基本ページに対してその映像表示領域Ｒ１１、Ｒ１２に映像を組み込み、映像を表示部２３に表示する（ステップＳ２０２）。
【００４９】
ウェブページ取得部２１ｇは、入力部２２から入力される信号に基づいて基本ページの「取得」ボタンＢ２および基本ページのメッセージＭ１内のＵＲＬの何れかが押下されたか否か（ウェブページを取得するか否か）を判断する（ステップＳ２０３）。ウェブページを取得しないと判断すると（Ｓ２０３：ＮＯ）ステップＳ２０７の処理へ進む。一方、ウェブページを取得すると判断すると（Ｓ２０３：ＹＥＳ）、ウェブページ取得部２１ｇはＵＲＬ入力欄Ｉ２に入力されたＵＲＬ或いはメッセージＭ１内のＵＲＬに基づいてこのＵＲＬのウェブページをウェブサーバ３から取得し（ステップＳ２０４）、ウェブページ表示処理部２１ｈはステップＳ２０４で取得されたウェブページを表示部２３に表示する（ステップＳ２０５）。
【００５０】
新規のウェブページの取得時、映像組込指定部２１ｉは、新規に取得されたウェブページが組み込み対象であることを示す映像組込対象情報を映像組込処理部２１ｊへ出力する。そして、映像組込処理部２１ｊはこれまで映像を組み込んでいたページ（基本ページ或いはウェブページ）への映像の組み込みを中断し、映像組込対象情報が示すウェブページに対してその映像表示領域Ｒ２１、Ｒ２２に映像を組み込み、映像を表示部２３に表示する（ステップＳ２０６）。そして、ステップＳ２０３の処理へ戻る。
【００５１】
映像組込指定部２１ｉは、入力部２２から入力される信号に基づき映像の組み込まれたウェブページが閉じられたか否かを判断する（ステップＳ２０７）。映像の組み込まれたウェブページが閉じられていないと判断すると（Ｓ２０７：ＮＯ）ステップＳ２１０の処理へ進む。一方、映像の組み込まれたウェブページが閉じられたと判断すると（Ｓ２０７：ＹＥＳ）ステップＳ２０８の処理へ進む。映像組込指定部２１ｉは、基本ページを映像を組み込む対象とし、基本ページが組み込み対象であることを示す映像組込対象情報を映像組込処理部２１ｊへ出力する（ステップＳ２０８）。そして、映像組込処理部２１ｊは映像組込対象情報が示す基本ページに対してその映像表示領域Ｒ１１、Ｒ１２に映像を組み込み、映像を表示部２３に表示する（ステップＳ２０９）。
【００５２】
映像組込指定部２１ｉは、入力部２２から入力される信号に基づきメッセージＭ２内の「ここ」およびメッセージＭ３内の「ここ」の何れかが押下されたか否か（映像を組み込む対象を切り替えるか否か）を判断する（ステップＳ２１０）。映像を組み込む対象を切り替えないと判断すると（Ｓ２１０：ＮＯ）ステップＳ２１３の処理へ進み、その他の処理が行われ（ステップＳ２１３）、ステップＳ２０３の処理へ戻る。一方、映像を組み込む対象を切り替えると判断すると（Ｓ２１０：ＹＥＳ）ステップＳ２１１の処理へ進む。
【００５３】
映像組込指定部２１ｉは、メッセージＭ２内の「ここ」が押下されたウェブページを映像を組み込む対象とし、又はメッセージＭ３内の「ここ」が押下された基本ページを映像を組み込む対象とし、「ここ」が押下されたページ（基本ページ或いはウェブページ）が組み込み対象であることを示す映像組込対象情報を映像組込処理部２１ｊへ出力する（ステップＳ２１１）。そして、映像組込処理部２１ｊは、これまで映像を組み込んでいたページ（基本ページ或いはウェブページ）への映像の組み込みを中断し、映像組込対象情報が示すページに対してその映像表示領域に映像を組み込み（基本ページの場合には映像表示領域Ｒ１１、Ｒ１２に映像を組み込み、ウェブページの場合には映像表示領域Ｒ２１、Ｒ２２に映像を組み込み）、映像を表示部２３に表示する（ステップＳ２１２）。そして、ステップＳ２０３の処理へ戻る。
【００５４】
以上説明したように、映像を組み込むウェブページが複数通信装置２に取り込まれた場合に、映像を組み込むページ（基本ページ、ウェブページ）がユーザによって指定されるウェブページに切り替わる構成となっているので、ユーザは希望するウェブページに映像が組み込まれた状態で当該希望するウェブページを閲覧しながら通信相手との間でテレビ電話を行うことが可能になる。
【００５５】
以上、本発明の好適な実施の形態について説明したが、本発明は上述の実施の形態に限られるものではなく、特許請求の範囲に記載した限りにおいて様々な設計変更が可能なものである。
【００５６】
尚、上述した各処理部の機能を実現するためのプログラムをコンピュータ読み取り可能な記録媒体に記録して、この記録媒体に記録されたプログラムをコンピュータシステムに読み込ませ、実行することにより上記各種処理を行ってもよい。尚、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００５７】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。更に、前述した機能をコンピュータシステムにすでに記録されているプログラムとの組み合わせで実現できるもの、いわゆる差分ファイル（差分プログラム）であっても良い。
【図面の簡単な説明】
【００５８】
【図１】本発明の実施の形態における通信システムのシステム構成図。
【図２】図１の通信装置の装置構成を示す装置構成図。
【図３】図１の通信装置の機能構成を示す機能ブロック部。
【図４】図２の表示部の表示例を示す図。
【図５】図２の表示部の表示例を示す図。
【図６】図２の表示部の表示例を示す図。
【図７】図２の表示部の表示例を示す図。
【図８】図２の表示部の表示例を示す図。
【図９】図１の通信システムが通信処理の流れを示すシーケンス図。
【図１０】図１の通信システムが通信処理の流れを示すシーケンス図。
【符号の説明】
【００５９】
１  通信システム
２  通信装置
３  ウェブサーバ
４  ダウンロードサーバ
５  ＩＰネットワーク
２１  ＣＰＵ
２２  入力部
２３  表示部
２４  記憶部
２５  インターフェース
２６  カメラ
２７  マイク
２８  スピーカ
２１ａ  音声・映像送信処理部
２１ｂ  音声・映像受信処理部
２１ｃ  基本ページ表示処理部
２１ｄ  ＵＲＬ送信処理部
２１ｅ  ＵＲＬ受信処理部
２１ｆ  ＵＲＬ表示処理部
２１ｇ  ウェブページ取得部
２１ｈ  ウェブページ表示処理部
２１ｉ  映像組込指定部
２１ｊ  映像組込処理部
【図１】
2006229559.tif 000003
【図２】
2006229559.tif 000004
【図３】
2006229559.tif 000005
【図４】
2006229559.tif 000006
【図５】
2006229559.tif 000007
【図６】
2006229559.tif 000008
【図７】
2006229559.tif 000009
【図８】
2006229559.tif 000010
【図９】
2006229559.tif 000011
【図１０】
2006229559.tif 000012